(57)【特許請求の範囲】
【請求項１】
露出した２列の鉄筋群の先端を被覆する被覆部材と、被覆部材の下方に取り付けられた脚部材と、を備え、
前記被覆部材は、２つの細長い断面略倒Ｌ字状のアングル材を相対して配設され、
前記脚部材は、前記被覆部材の下方に突出する前脚部及び後脚部を有し、
前記後脚部は、前記前脚部の突出長さより短いことを特徴とする鉄筋養生カバー。
【請求項２】
前脚部及び後脚部は、棒体から形成され、被覆部材から下方に突出する縦棒部と、前記縦棒部間に鉄筋群の側面に当接する横棒部と、を有することを特徴とする請求項１記載の鉄筋養生カバー。
【請求項３】
被覆部材は、相対するアングル材の間に間隙部を有することを特徴とする請求項１記載の鉄筋養生カバー。
【発明の詳細な説明】
【技術分野】
【０００１】
本発明は、鉄筋群の先端を被覆する鉄筋養生カバーに関する。
【背景技術】
【０００２】
従来、鉄筋コンクリート構造物の建設現場において、施工途中に複数本の鉄筋が垂直方向に露出し、その複数本の鉄筋からなる鉄筋群の先端は切断された状態であり、その周囲で施工作業する作業者が接触して怪我をするおそれがあった。そのため、作業者の安全を確保するために鉄筋の先端をフック状に折り曲げたりすることや、鉄筋の先端を被覆する種々の鉄筋養生カバーが用いられている。
【０００３】
例えば、特許文献１及び２には、断面略逆Ｕ字状の樹脂成形からなるものが開示されている。また、特許文献３、７には、それぞれの鉄筋に対して差し込んで被覆するものが開示されている。また、特許文献４−７には、一列に露出した鉄筋群の先端を被覆する細長い断面略コ字状のものが開示されている。
【先行技術文献】
【特許文献】
【０００４】
【特許文献１】特開２００２−３５６９９７号公報
【特許文献２】実用新案登録第３０８２４４６号
【特許文献３】実開平４−１１４９３３号公報
【特許文献４】特許第６３０８５３５号
【特許文献５】実開平６−７１７７４号公報
【特許文献６】実開昭５９−６３１６１号公報
【特許文献７】実開昭５７−１３３７５２号公報
【発明の概要】
【発明が解決しようとする課題】
【０００５】
しかしながら、近年、鉄筋コンクリート造の建造物の耐震性を向上するために、壁部分を構成する鉄筋は、少なくとも２本の鉄筋を並列させた櫛状の鉄筋群からなるものであり、例えば一辺１０ｍ程度とする壁部分において１００本以上の鉄筋が垂直方向に配筋されている。そのため、施工途中において、この露出した鉄筋群の先端を被覆するために、従来の鉄筋養生カバーが大量に必要であるとともに、それらの鉄筋養生カバーの保管や持ち運び時にかさ張ってしまうため不便であった。
【０００６】
上述した欠点に鑑み、本発明は、露出した鉄筋群の先端を被覆することで作業者の安全を確保することができるとともに、保管や持ち運びの際にかさ張ることなく安定して積み重ねることが可能な鉄筋養生カバーを提供することを目的とする。
【課題を解決するための手段】
【０００７】
本発明は、上記課題に鑑み、露出した２列の鉄筋群の先端を被覆する被覆部材と、被覆部材の下方に取り付けられた脚部材と、を備え、
前記被覆部材は、２つの細長い断面略倒Ｌ字状のアングル材を相対して配設され、
前記脚部材は、前記被覆部材の下方に突出する前脚部及び後脚部を有し、
前記後脚部は、前記前脚部の突出長さより短いことを特徴とするものである。
【０００８】
また、上述した構成に加え、前脚部及び後脚部は、棒体から形成され、被覆部材から下方に突出する縦棒部と、前記縦棒部間に鉄筋群の側面に当接する横棒部と、を有することが好ましい。
【０００９】
また、上述した構成に加え、被覆部材は、相対するアングル材の間に間隙部を有することが好ましい。
【発明の効果】
【００１０】
請求項１―３記載の発明によれば、２列の櫛状に露出した鉄筋群の先端を被覆することで作業者の安全を確保することができるとともに、保管や持ち運びの際にかさ張ることなく安定して積み重ねることが可能な鉄筋養生カバーとすることが可能である。
【図面の簡単な説明】
【００１１】
【図１】本発明の鉄筋養生カバーの実施形態の一例を示す斜視図である。
【図２】図１の鉄筋養生カバーの分解斜視図である。
【図３】図１の鉄筋養生カバーを鉄筋群の先端に被覆した状態を示す（a）断面図、及び、（b）正面図である。
【図４】複数個の鉄筋養生カバーを積み重ねた状態を示す側面図である。
【発明を実施するための形態】
【００１２】
（実施形態）
本発明の鉄筋養生カバー１の実施形態の一例について図１−４に基づいて詳細に説明する。図１−４において、後述する脚部材１４の長い前脚部１５側を前方向とし、短い後脚部１６側を後方向とする。また、鉄筋群３は、作業面２から垂直方向に２列の櫛状に複数本の鉄筋３０、３０が露出しているものである。なお、この作業面２は、作業員が施工作業を行う場所であり、例えば、床や天井を構成する鉄筋や型枠が配設されたものや、それらを埋設してコンクリートで固めたものである。
【００１３】
鉄筋養生カバー１は、露出した２列の鉄筋群３の先端を被覆する被覆部材１０と、被覆部材１０の下方に取り付けられた脚部材１４と、を主体として備えてなるものである。
【００１４】
被覆部材１０は、２つの細長い断面略倒Ｌ字状のアングル材を相対して断面逆Ｕ字状になるように配設されてなり、この被覆部材１０全体の幅Ａは、２列に並列するように露出した鉄筋３０、３０間の幅Ｗよりも狭くするものであり、鉄筋群３の先端を被覆した際に鉄筋群３の先端方向にかけてすぼまるよう被覆することで、鉄筋３０、３０が作業者に鉄筋３０、３０の先端が直接接触することを防ぐとともに、作業面２を広く確保することが可能である（図３（ａ）参照）。
【００１５】
この被覆部材１０は、両アングル材の間において被覆部材１０の左右両端まで一定の幅の空間からなる間隙部１３を有するものであり、この間隙部１３によって、鉄筋群３全体が被覆しているかどうかを上方から確認することが可能である。
【００１６】
アングル材は、金属の板材を直角に折り曲げて形成したものであり、少なくとも鉄筋群３の先端の上面に位置する水平部１１、１１と、水平部１１、１１の一端より下方に垂下させ、鉄筋群３の側面に位置する垂下部１２、１２と、を有するものである。このアングル材は、より具体的には、作業者が一人で持ち運びを行って作業する観点から、全体の長手方向を１８３ｃｍ程度の長さとし、水平部１１、１１及び垂下部１２、１２を３ｃｍ程度の幅にすることが好適である。このとき、アングル材間の間隙部１３は、水平部１１、１１の幅に対して半分程度の幅ｄを有するものであり、約１．５ｃｍ程度にすることが好適である。
【００１７】
脚部材１４は、金属材を主体としてなる棒体からなり、前脚部１５及び後脚部１６と、被覆部材１０を取り付けるための取付部１７を有する。この前脚部１５及び後脚部１６は、覆部材１０の下方に突出した縦棒部１５ａ、１６ａと、縦棒部１５ａ、１６ａ間に鉄筋群３の先端寄りの側面に当接する横棒部１５ｂ、１６ｂと、を有するものであり、幅広の正面略Ｕ字状に形成されるものである。
【００１８】
前脚部１５は、被覆部材１０とするアングル材の垂下部１２、１２の幅の約３倍程度の長さで下方に突出するよう縦棒部１５ａを有し、この縦棒部１５ａの突出長さは、後脚部の縦棒部１６ａに比べて長くすることで、先に鉄筋群３の先端付近の側面に当接することで、鉄筋群３全体の先端を被覆部材１０内に収めるように揃えることができるため、鉄筋群３の先端を一度に被覆させることを容易に行うことができる。
【００１９】
後脚部１６は、前脚部１５と同様に、アングル材の垂下部１２、１２の長さの２倍程度となるように下方に突出させて設けられた縦棒部１６ａを有し、この縦棒部１６ａの突出長さは、前脚部１５の縦棒部１５ａに比べて短くすることで、鉄筋群３から取り外す際には、後脚部１６から上方に持ち上げることで鉄筋群３の先端から離すことができる。
【００２０】
棒体は、上述した前脚部１５及び後脚部１６の縦棒部１５ａ、１６ａ及び横棒部１５ｂ、１６ｂを幅広の正面略Ｕ字状に折曲形成するために、折曲自在であり、かつ、繰り返しの使用に耐え得る耐久性を有するものであればよく、例えば、約６ｍｍ程度の細い直径の鋼線を使用することが好適である。
【００２１】
なお、上述した脚部材１４は、被覆部材１０に対して複数設けてもよく、本実施形態では被覆部材１０に対して前脚部１５及び後脚部１６を一対とする脚部材１４を隣接しながら３つ溶接固定したものを例示している。
【００２２】
また、鉄筋養生カバー１の保管や持ち運び時において複数個を重ねた状態を図４に示している。このとき、鉄筋養生カバー１は、一方の脚部材１４の前脚部１５側に他方の脚部材１４の後脚部１６が重なるように、互い違いに組み合わせることで、実質的に細長い一つの箱体とすることができ、保管や持ち運び時に場所をとらずに、安定して積み重ねることが可能である。
【００２３】
したがって、上述した鉄筋養生カバー１によって、作業面２から露出した鉄筋群３の先端を被覆することが可能である。このとき、脚部材１４を棒体によって折曲形成したことで、結束バンド４等でそれぞれの鉄筋３０、３０を任意の位置で結束することができ、より一層の安定性を高めることができるとともに、この脚部材１４の端部側の鉄筋群３を収束させた後に結束することで、簡易的な作業用の通路５を設けることが可能である。
【００２４】
また、複数の鉄筋養生カバー１の保管や持ち運び時において、他の鉄筋養生カバー１を互い違いに重ねることで、場所を専有せず安定して積み重ねることができるため、保管や持ち運びをすることが可能である。
【００２５】
上記の実施形態では本発明の好ましい実施形態を例示したが、本発明は上記の実施形態に限定されるものではなく、特許請求の範囲に記載した範囲内で改善や変更が可能である。例えば、前脚部よりも後脚部を下方に突出するように変更することが可能である。
【符号の説明】
【００２６】
１ 鉄筋養生カバー、
１０ 被覆部材、１１ 水平部、１２ 垂下部、１３ 間隙部、
Ａ 被覆部材全体の幅、ｄ 間隙部の幅、
１４ 脚部材、１５ 前脚部、１５ａ 縦棒部、１５ｂ 横棒部、
１６ 後脚部、１６ａ 縦棒部、１６ｂ 横棒部、１７ 取付部、
２ 作業面、
３ 鉄筋群、３０ 鉄筋、Ｗ 鉄筋間の幅、
４ 結束バンド、
５ 通路。
【要約】
【課題】  露出した２列の鉄筋群の先端を被覆することで作業者の安全を確保することができるとともに、保管や持ち運びの際にかさ張ることなく安定して積み重ねることが可能な鉄筋養生カバーを提供する。
【解決手段】  鉄筋養生カバー１は、露出した２列の鉄筋群の先端を被覆する被覆部材１０と、被覆部材１０の下方に取り付けられた脚部材１４と、を備えてなり、被覆部材１０は、２つの細長い断面略倒Ｌ字状のアングル材を相対して配設する。脚部材１４は、前脚部１５と、前脚部１５に比べて突出長さの短い後脚部１６と、を有する。
【選択図】  図１【図１】
0006817491.tif 000002
【図２】
0006817491.tif 000003
【図３】
0006817491.tif 000004
【図４】
0006817491.tif 000005